【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
ＤＳＬ回線のグループの中の漏話関係性を検出する方法であって、前記漏話は１本または複数の違反者回線により引き起こされ、さらに前記漏話は１本または複数の被害者回線による干渉として受信され、
複数の回線を含む疑わしい違反者回線集合を特定することと、
前記疑わしい違反者回線集合の少なくとも1つの回線に、前記疑わしい違反者回線集合の他の回線によって使用される送信スペクトルとは識別可能な送信スペクトルを使用してデータを送信するように命令することと、
潜在的な被害者回線集合から操作データを収集することと、
前記潜在的な被害者回線集合が前記疑わしい違反者回線集合からの漏話によって影響を及ぼされているかどうかを決定するために、前記潜在的な被害者回線集合のノイズスペクトルを評価することと、を備え、
前記潜在的な被害者回線集合が、１つのＤＳＬ回線または複数のＤＳＬ回線の少なくとも１つを備える方法。
【請求項２】
前記潜在的な被害者回線集合の前記ノイズスペクトルを評価することが、前記潜在的な被害者回線集合の中のＤＳＬ回線上で受信機によって受信されるノイズスペクトルと、副搬送波ごとのチャネル特性と、副搬送波ごとのＳＮＲと、ビット分布と、マージンと、送信電力と、回線減衰と、最大達成可能ビットレートとの少なくとも１つに関する、前記潜在的な被害者回線集合からの収集された操作データを解析することを備える請求項１に記載の方法。
【請求項３】
前記送信スペクトルが、周波数の少なくとも１つの部分集合で伝送を無効にすることによって特徴付けられる送信スペクトルと、送信電力レベルが周波数によって変化できる送信スペクトルと、前記疑わしい違反者回線の通常の動作の間に使用される送信スペクトルと、ＣＡＲＭＡＳＫパラメータ、ＰＳＤＭＡＳＫパラメータ、電力削減パラメータ、または副搬送波マスクパラメータの少なくとも１つを使用して実現される送信スペクトルと、を備える請求項１に記載の方法。
【請求項４】
漏話伝達関数の絶対値を決定するために１つの疑わしい違反者回線によって１つの潜在的な被害者回線の中に生成される漏話のレベルを副搬送波ごとに評価すること、をさらに備える請求項１に記載の方法。
【請求項５】
前記疑わしい違反者回線から漏話伝達関数の前記絶対値を決定するために、１つの疑わしい違反者回線によって１つの潜在的な被害者回線の中に生成される漏話のレベルを副搬送波ごとに評価することが、
前記１つの疑わしい違反者回線に、電力で定義された送信スペクトルを使用してデータを送信するように命令することと、
前記１つの潜在的な被害者回線から操作データを収集することと、
前記漏話伝達関数の前記絶対値を決定するために、前記潜在的な被害者回線の前記ノイズスペクトルを評価することと、を備える請求項４に記載の方法。
【請求項６】
前記潜在的な被害者回線集合の前記ノイズスペクトルを評価することが、前記潜在的な被害者回線集合の送信スペクトルを制御すること、をさらに備える請求項１に記載の方法。
【請求項７】
前記疑わしい違反者回線の前記送信スペクトルを決定するために、前記潜在的な被害者回線の前記ノイズスペクトルを評価すること、をさらに備える請求項１に記載の方法。
【請求項８】
コンピュータプログラム製品であって、
機械可読媒体と、
前記機械可読媒体の中に含まれ、ＤＳＬ回線のグループの中での漏話関係性を検出する方法を指定するプログラム命令と、を備え、
前記漏話が１本または複数の違反者回線によって引き起こされ、さらに前記漏話が１本または複数の被害者回線によって干渉として受信され、
前記方法が、
疑わしい違反者回線集合を識別することと、
前記疑わしい違反者回線集合に、少なくとも１つの特有の送信スペクトルを使用してデータを送信するように命令することと、
潜在的な被害者回線集合から操作データを収集することと、
前記潜在的な被害者回線集合が前記疑わしい違反者回線集合からの漏話によって影響を及ぼされているかどうかを決定するために、前記潜在的な被害者回線の前記ノイズスペクトルを評価することと、を備え、
前記疑わしい違反者回線集合が、１つのＤＳＬ回線または複数のＤＳＬ回線の少なくとも１つを備え、
さらに、前記潜在的な被害者回線集合が、１つのＤＳＬ回線または複数のＤＳＬ回線の少なくとも１つを備える、コンピュータプログラム製品。
【請求項９】
ＤＳＬシステム操作データを収集するための手段と、
ＤＳＬシステム命令信号を発生させるための手段と、
前記収集手段と前記信号発生手段に結合される解析手段であって、前記解析手段がＤＳＬ回線のグループの中での漏話の関係性を検出するために収集された操作データを解析するように構成され、ＤＳＬ回線の前記グループが少なくとも１本の疑わしい違反者回線と、少なくとも１本の潜在的な被害者回線とを備える手段と、
を備えるＤＳＬシステムコントローラ。
【請求項１０】
前記信号発生手段が、前記少なくとも１本の疑わしい違反者回線に命令信号を送信するように構成され、
前記命令信号が、前記少なくとも１本の疑わしい違反者回線にデータを送信するように命令することと、前記少なくとも１本の疑わしい違反者回線のＣＡＲＭＡＳＫパラメータをプログラムすることと、前記少なくとも１本の疑わしい違反者回線のＰＳＤＭＡＳＫパラメータをプログラムすることと、前記少なくとも１本の疑わしい違反者回線の電力削減パラメータをプログラムすることと、または前記少なくとも１本の疑わしい違反者回線の副搬送波マスクパラメータをプログラムすることと、の少なくとも１つを備える請求項９に記載のＤＳＬシステムコントローラ。
【請求項１１】
前記収集手段が、少なくとも１本の潜在的な被害者回線上の受信機によって受信される受信ノイズスペクトル情報と、前記少なくとも１本の潜在的な被害者回線の副搬送波ごとのチャネル特性情報と、前記少なくとも１本の潜在的な被害者回線の副搬送波ごとのＳＮＲ情報と、前記少なくとも１本の潜在的な被害者回線のビット分布情報と、前記少なくとも１本の潜在的な被害者回線のマージン情報と、前記少なくとも１本の潜在的な被害者回線の送信電力情報と、前記少なくとも１本の潜在的な被害者回線の回線減衰情報と、前記少なくとも１本の潜在的な被害者回線の最大達成可能データレート情報との少なくとも１つを備えるＤＳＬ操作データを、前記少なくとも１本の潜在的な被害者回線から収集するように構成される請求項９に記載のＤＳＬシステムコントローラ。
【請求項１２】
前記解析手段が、前記少なくとも１本の潜在的な被害者回線が前記少なくとも１本の違反者回線からの漏話によって影響を及ぼされているかどうかを決定するために、前記少なくとも１本の潜在的な被害者回線のノイズスペクトルを評価するように構成される請求項９に記載のＤＳＬシステムコントローラ。
【請求項１３】
前記解析手段が、実際の被害者回線と実際の違反者回線を特定し、前記実際の違反者回線から前記実際の被害者回線への漏話伝達関数の前記絶対値を評価するように構成される請求項１２に記載のＤＳＬシステムコントローラ。
【請求項１４】
前記発生手段が、前記少なくとも１本の潜在的な被害者回線の前記送信スペクトルを制御するために、前記少なくとも１本の潜在的な被害者回線に命令信号を送信するように構成される請求項１０に記載のＤＳＬシステムコントローラ。
【請求項１５】
さらに前記解析手段が、前記実際の違反者回線の前記送信スペクトルを決定するために前記実際の被害者回線の前記ノイズスペクトルを評価するように構成される請求項１２に記載のＤＳＬシステムコントローラ。
【請求項１６】
通信回線のグループの中の漏話関係性を検出する方法であって、前記漏話が１本または複数の実際の違反者回線により引き起こされ、さらに前記漏話が１本または複数の実際の被害者回線によって干渉として受信され、
１本または複数の回線を備える疑わしい違反者回線集合を特定することと、
１本または複数の回線を備える潜在的な被害者回線集合を特定することと、
前記疑わしい違反者回線集合に、１つまたは複数の特有の送信スペクトルを使用してデータを送信するように命令することと、
前記疑わしい被害者回線集合から操作データを収集することと、
前記潜在的な被害者回線集合が、前記疑わしい違反者回線集合からの漏話によって影響を及ぼされているかどうかを決定するために、前記潜在的な被害者回線集合からのノイズスペクトル情報を評価し、前記潜在的な被害者回線集合の前記ノイズスペクトルを評価することが、
前記疑わしい違反者回線集合によるノイズスペクトル影響の直接的な証拠、または
前記疑わしい違反者回線集合によるノイズスペクトル影響の間接的な証拠
の少なくとも１つを解析することと、を備える方法。
【請求項１７】
前記疑わしい違反者回線集合が１本の疑わしい違反者回線を備え、さらに前記潜在的な被害者回線集合が１本の潜在的な被害者回線を備える請求項１６に記載の方法。
【請求項１８】
前記疑わしい違反者回線集合が複数の回線を備え、前記疑わしい違反者回線集合に、１つまたは複数の特有の送信スペクトルを使用してデータを送信するように命令することが、前記疑わしい違反者回線集合の中のそれぞれの疑わしい違反者回線に、前記疑わしい違反者回線集合の中の任意の他の疑わしい違反者回線によって使用される任意の送信スペクトルから区別できる送信スペクトルを使用してデータを送信するように命令することを備える請求項１６に記載の方法。